(57)【要約】【課題】二つのＬＡＮケーブルを簡単に中継接続できることにより、配線作業現場でのＬＡＮケーブルの容易な中継作業を可能とし、ＬＡＮ配線の作業性を向上させることのできる信頼性の高いＬＡＮケーブルの中継用成端ブロックを提供する。【解決手段】略同じ結線部を有し、接続するケーブル６、６´の挿入方向を互いに逆方向に向けて底面同士を合わせて係合する二つの端子台２、４と、この両端子台の結線部を上から覆う保護キャップ３とを備え、両端に圧接スリットを有する対称形に形成された端子板５を、二つの端子台２、４間の各対応する保持溝２３ｂ、４３ｂ内に共通に均等に立設し、各端子板５の両端に電線７、７´を接続してＬＡＮケーブルの中継接続を行う。【選択図】図３
2006236718.tif 000002
【特許請求の範囲】
【請求項１】
複数の電線を束ねて構成された２本のケーブルを接続するための中継用成端ブロックであって、
２つのケーブルの各電線がそれぞれ結線される２つの端子台を備え、
各端子台は、電線が絶縁被覆のまま圧接されることにより成端される圧接スリットが形成された複数の端子板をさらに備え、
一方の端子台の各端子板と、それらに対応する他方の各端子板とが電気的に接続されていることを特徴とする中継用成端ブロック。
【請求項２】
一方の端子台の端子板の圧接スリットと、他方の端子台の端子板の圧接スリットが、互いに逆方向を向くように配置されていることを特徴とする請求項１に記載の中継用成端ブロック。
【請求項３】
一方の端子台の端子板と、それらに対応する他方の端子台の端子板が一体的に形成されていることを特徴とする請求項２に記載の中継用成端ブロック。
【請求項４】
一方の端子台の端子板の圧接スリットと、他方の端子台の端子板の圧接スリットが、互いに同じ方向を向くように配置されていることを特徴とする請求項１に記載の中継用成端ブロック。
【請求項５】
一方の端子台の端子板と、それらに対応する他方の端子台の端子板が、回路基板上に形成された配線パターンによって電気的に接続されていることを特徴とする請求項４に記載の中継用成端ブロック。
【請求項６】
一方の端子台に対するケーブルの挿入方向と、他方の端子台に対するケーブルの挿入方向が互いに逆方向であることを特徴とする請求項１乃至請求項５のいずれかに記載の中継用成端ブロック。
【請求項７】
各端子台の結線部近傍を覆う保護キャップをさらに備えたことを特徴とする請求項１乃至請求項６のいずれかに記載の中継用成端ブロック。
【発明の詳細な説明】
【技術分野】
【０００１】
本発明は、二つのＬＡＮケーブルのツイストケーブルを成端して接続するための中継用成端ブロックに関する。
【背景技術】
【０００２】
最近の家庭内情報通信の進展により、壁の内側にＬＡＮ配線が設置されるケースが増加してきている。このようなＬＡＮ配線では、情報通信用のツイストペアケーブルから成るＬＡＮケーブルが用いられ、通常、その両端にモジュラプラブ又はモジュラジャックが装着されている。ツイストペアケーブルへのモジュラプラグの装着は、電線と端子の圧着接続が必要なため専用の冶具を用いて行われている。また、ＬＡＮの通信速度を維持するために一定のインピーダンス精度が必要であるため、その装着作業に熟練を必要とする。従って、ＬＡＮケーブルの配線工事では、通常は現場においてモジュラプラグをツイストペアケーブルに装着する作業を避けるために、事前に現場の使用状況に合わせてＬＡＮケーブルの長さを決めて、モジュラプラグなどが接続されたものを用意して使用していた。
【０００３】
通常、ＬＡＮケーブルの長さは余裕をもって決められているけれども、配線工事の現場において、準備していたケーブルが短く、そのままでは配線できないこともありうる。その場合は、ケーブルを延長する必要があるが、従来は現場でケーブルを簡単に中継して延長できる成端部材は存在しなかった。そのため、必要な長さのＬＡＮケーブルを改めて作り直すか、あるいは両端にモジュラジャックを備えた接続コネクタと既成のモジュラプラグ付きＬＡＮケーブルを用いてＬＡＮケーブルを延長することが考えられる。前者の場合、現場に専用の冶具を持ち込んで長いＬＡＮケーブルを作り直すため、不慣れな現場作業者がモジュラコネクタの接続作業を行うことになり手間と時間を要すると共に、接続されたケーブルの信頼性が損なわれる虞がある。後者の場合、接続コネクタに加え、別途コネクタ付きのＬＡＮケーブルを必要とし、コスト高になる。
【発明の開示】
【発明が解決しようとする課題】
【０００４】
本発明は、上記問題を解決するものであり、配線作業現場で作業者がＬＡＮケーブル同士を接続でき、ＬＡＮケーブルの長さを自由に変えることが可能なコンパクトで、安価な、信頼性の高い中継用成端ブロックを提供することを目的とする。
【課題を解決するための手段】
【０００５】
上記目的を達成するために請求項１の発明は、複数の電線を束ねて構成された２本のケーブルを接続するための中継用成端ブロックであって、２つのケーブルの各電線がそれぞれ結線される２つの端子台を備え、各端子台は、電線が絶縁被覆のまま圧接されることにより成端される圧接スリットが形成された複数の端子板をさらに備え、一方の端子台の各端子板と、それらに対応する他方の各端子板とが電気的に接続されているものである。
【０００６】
請求項２の発明は、請求項１記載の中継用成端ブロックにおいて、一方の端子台の端子板の圧接スリットと、他方の端子台の端子板の圧接スリットが、互いに逆方向を向くように配置されているものである。
【０００７】
請求項３の発明は、請求項２記載の中継用成端ブロックにおいて、一方の端子台の端子板と、それらに対応する他方の端子台の端子板が一体的に形成されているものである。
【０００８】
請求項４の発明は、請求項１に記載の中継用成端ブロックにおいて、一方の端子台の端子板の圧接スリットと、他方の端子台の端子板の圧接スリットが、互いに同じ方向を向くように配置されているものである。
【０００９】
請求項５の発明は、請求項１乃至請求項４記載の中継用成端ブロックにおいて、一方の端子台の端子板と、それらに対応する他方の端子台の端子板が、回路基板上に形成された配線パターンによって電気的に接続されているものである。
【００１０】
請求項６の発明は、請求項１記載乃至請求項５記載の中継用成端ブロックにおいて、一方の端子台に対するケーブルの挿入方向と、他方の端子台に対するケーブルの挿入方向が互いに逆方向であるものである。
【００１１】
請求項７の発明は、請求項１記載乃至請求項６記載の中継用成端ブロックにおいて、各端子台の結線部近傍を覆う保護キャップをさらに備えたものである。
【発明の効果】
【００１２】
請求項１の発明によれば、二つの端子台の各端子板にケーブルの電線を絶縁被覆のまま圧接させるだけで、複数の電線を持った二つケーブルを簡単に接続することができる。この作業は熟練を要さず、またインピーダンス精度の確保も容易である。したがって、作業現場でもＬＡＮケーブル同士の接続を行うことができ、必要な長さにケーブルをその場で容易に延長することができる。その結果、現場での作業性を著しく向上することができる。また、従来短くて使用できなくなったケーブルも、必要な長さに延長して利用できるので、ケーブルコネクタの無駄を無くすことができ、経済的なケーブル利用が可能となる。さらに、せいぜい２〜３箇所の接続ならばモジュラジャックやモジュラプラグを使った各種接続コネクタを用いる中継接続に比べ、低コストにすることができる。
【００１３】
請求項２の発明によれば、二つの端子台を例えば、上下方向に背中合わせとなるように構成することができるので、長さ方向に小型でコンパクトな中継用成端ブロックを得ることができる。
【００１４】
請求項３の発明によれば、二つの端子台間において１つの端子板を共用できるので、端子板の数を半減させることができ、又端子板間を接続するためのプリント基板等の中継部材も不要となり、部品点数が大幅に削減され、コンパクトで、安価な、信頼性の高い中継用成端ブロックを得ることができる。
【００１５】
請求項４の発明によれば、二つの端子台を例えば、平面状に横並びに構成することができ、二つの端子台を上下に構成する場合に比較して、中継用成端ブロックの厚みを押さえ、高さを低くすることができる。従って、高さに制限のある配線工事にも適用でき工事の自由度を高めることができる。
【００１６】
請求項５の発明によれば、二つの端子台の端子板間の結線接続をパターン配線で行えるので、特にビット転送レートの高い高速通信に適したコンパクトな信頼性の高いケーブル接続が可能となる。
【００１７】
請求項６の発明によれば、接続されるケーブルを一直線上に対称に結線することができるので、取り扱い易く、また、作業中に接続ケーブル間を引っ張り合った場合に、直線方向にしか力が掛からず、横方向の力が掛からないので、中継用成端ブロック及びケーブルを傷め難くできる。
【００１８】
請求項７の発明によれば、保護キャップの側面に設けた側壁により、端子台の端子板に接続された電線の切断面の心線が覆われてカバーされ、心線の露出を防止することができる。従って、外部の金属と接触する虞がなく、電気的に安全であるので、転がし配線などが可能になり、配線工事の自由度を高くすることができる。
【発明を実施するための最良の形態】
【００１９】
以下、本発明の第１の実施形態に係る中継用成端ブロックについて、図１乃至図５を参照しつつ説明する。図１は、本実施形態に係る中継用成端ブロックの分解構成を示し、図２は、その組立て後の中継用成端ブロックを示す。図３は、上記中継用成端ブロックに、ＬＡＮケーブルとなるツイストペアケーブル（以下、ケーブルと略す）を接続する成端組立て構成を示し、図４は、ケーブルの電線の中継用成端ブロックへの接続状態を示し、図５は、ケーブルの接続が完了された状態を示す。図１乃至図５において、同じ部材は同一符合を付し、各図中のｘ、ｙ、ｚの矢印は、それぞれ横方向（ｘ方向）、高さ方向（ｙ方向）、奥行き方向（ｚ方向）を示す（以下、同様）。
【００２０】
これらの図において、中継用成端ブロック１は、絶縁樹脂で形成され、ほぼ同じ構成の結線部（保護壁２３、保護壁４３の存在する部分を含む）を有する端子台２及び端子台４と、絶縁樹脂で形成され、これら端子台２、４のそれぞれの結線部近傍に嵌装されるほぼ同じ構成の二つの保護キャップ３と、これら端子台２、４に立設された複数（例えば８枚）の端子板５（ＩＤＣ端子）を備えている。各端子板５には、それぞれ中継されるケーブル６、６´の電線７、７´が接続される。そして、この端子板５を挟んで、端子台２及び端子台４は、互いの結線部を外向きとなるように上下（図１中のｙ方向）に係合され、それらに保護キャップ３が被せられることにより、１つの中継用成端ブロックが形成される。
【００２１】
端子板５は、端子台２および端子台４の表面（ここでは、両端子台２、４の結線部の存在する方向を表面とする）から突出するように、各端子台２、４の左右両側部において４枚ずつ、前後方向に沿って配置されている。周知のように、端子板５（ＩＤＣ端子）は上縁に開放された圧接スリットを有するように、二股のフォーク状に形成されており、厚み方向が端子台２の左右方向に一致するように配置されている。ここでは、特に端子板５は、その中央部に両端より幅の広い突起部５３が設けられ、その両端に同じ圧接スリット５１、５２を有する対称形に形成されている。すなわち、この端子板５は、端子台２及び端子台４の両方に共通の端子板となるように形成されている。両端の圧接スリット５１、５２の幅は、接続される電線７、７´の各芯線に圧接スリット５１、５２の両側縁が圧接するように、芯線の太さよりも若干狭くなる程度に設定されている。そして、中継されるケーブル６、６´の絶縁被覆を有する電線７、７´を上下から圧接スリット５１、５２に圧入すると、電線７、７´の絶縁被覆が、圧接スリット５１、５２の両側縁で破断され、それらの芯線７ａが圧接スリット５１、５２の中で圧接され、電線７、７´が端子板５に電気的に接続される。
【００２２】
端子台２と端子台４は、これらの側面に互いに係合する係合孔２５と係合爪４５をそれぞれ有している。これら端子台２、４のケーブルの各挿入口２１、４１とが１８０度ずれた逆方向となるように、かつ互いの結線部が外側を向くように、それぞれの底面２２と４２を接合させた状態で、係合孔２５と係合爪４５が互いに係合される。端子台２と端子台４は、上記の係合孔２５と係合爪４５の違い、及び挿入口方向の違い以外は基本的に同様の構成を持つものであるので、以下の端子台の説明では、端子台２を中心に説明し、端子台４の詳細説明は省略する。
【００２３】
端子台２において、その上面の両側部には、端子板５の先端よりもさらに突出した複数の保護壁２３が形成されている。前後方向に隣り合う各１対の保護壁２３の対向面の略中央部には、保持溝２３ｂが上下方向に沿って端子台２を貫通して形成されている。この保持溝２３ｂは、底面から上面に向けて、端子板５の突起部５３と略同じ幅を持ち、深さが突起部５３の長さ（図１のｙ軸方向）の略半分の長さの溝が形成されている。これにより、保持溝２３ｂの底面側から挿入される端子板５は、対称な端子板５の長手方向の略半分の部分が挿入された位置で固定され、保持される。これにより、端子板５は、前後に隣り合う２つの保護壁２３によって保護され、圧接スリット５１は２つの保護壁２３の間に配置されている。前後方向に隣り合う各一対の保護壁２３の隙間は、電線７を挿入できるように、圧接スリット５１の幅寸法に比べて広く設定されている。さらに、上部ほど上記隙間が広くなるように、各一対の保護壁２３の上端部には傾斜面が形成されている。そのため、ケーブル６の各電線７をそれぞれ各一対の保護壁２３の隙間に容易に導入することができる。そして、各電線７を、それぞれ端子板５の圧接スリット５１に上方から圧入するすることにより、電線７を端子板５に電気的に接続することができる。また、端子台２の上面の中央部には、ケーブル６のシース６ａを位置決めするための凹部２１ａが形成されている。また、各端子台の後端には、ケーブル６を保持する保持突起２６が形成されている。
【００２４】
端子台２上の中央の各保護壁２３の外側面には、保護キャップ３と係合される係合爪２７が突設されている。また、係合爪２７の上部には、上端縁に近づくほど外側面からの突出量が小さくなるように傾斜した誘導面２７ａが形成され、端子台２の側面には、端子台４と係合するための複数の係合孔２５が形成されている。
【００２５】
端子台４は、前述のように端子台２と基本構造は同じであり、端子台２と結線部の上下（図１のｙ軸方向）を逆方向にして互いの底面４２と底面２２が接合され、端子台４の側面に形成された複数の係合爪４５により端子台２と係合される。端子台２と同様に、表面（図１のｙ軸の下方向）の両側部に保護壁４３、保持溝４３ｂを備え、この保持溝４３ｂに保持される端子板５の圧接スリット５２に挿入口４１から挿入されるケーブル６´の電線７´が圧入されて接続される。端子台４の底面４２には、端子台２の底面２２との接合をし易くするための肉にがし４４が形成されている。また、端子台４の側面には、端子台２と係合される複数の係合爪４５が形成され、底面４２側より端子台２と係合される。さらに、係合爪４５の下部（底面４２に近い方、ｙ軸上方向）には、底面４２側から上端縁（保護壁４３側の上部、ｙ軸下方向）に近づくほど外側面からの突出量が大きくなるように傾斜した誘導面４７ａが形成されている。
【００２６】
保護キャップ３は、端子台２の上面を覆う程度の寸法に形成され、天板３１の両側部には、各保護壁２３の外側面に沿って嵌装される側壁３２がそれぞれ形成されている。側壁３２の前後方向の中央部には、端子台２の係合爪２７と係合される矩形状の係合孔３２ａが形成されている。また、各側壁３２の係合孔３２ａの前後方向の両端には、下縁が開放された切込溝３２ｂが形成されていると共に、切込溝３２ｂよりも係合孔３２ａから離れた位置に、上縁が開放された切込溝３２ｃが形成されている。このような構成により、側壁３２のうち、係合孔３２ａを挟むように形成された切込溝３２ｂと３２ｃ間の部位が撓みやすくなる。さらに、各側壁３２の切込溝３２ｃ間の上端縁には、操作部３３が形成されている。各操作部３３に、それぞれ切欠３１ａ側に撓ませるように力を掛けると、切込溝３２ｂと３２ｃ間の部位が係合孔３２ａを取り囲む部位が変形する。すなわち、側壁３２の前後方向の中央部には、係合孔３２ａを取り囲むようにして、端子台２と係合されるため係合部３２ｄが形成されている。
【００２７】
保護キャップ３を端子台２に取り付ける場合（端子台４の場合も同様）、側壁３２を端子台２の保護壁２３の外側面に沿うようにして、端子台２（又は端子台４）の結線部の上方から下方に向けて保護キャップ３を移動させると、係合部３２ｄが係合爪２７（又は係合爪４７）の誘導面２７ａ（又は誘導面４７ａ）に当接して撓み、係合部３２ｄに設けられた係合孔３２ａと係合爪２７（又は係合爪４７）とが係合される。それにより、保護キャップ３が端子台２（又は端子台４）に係合される。保護キャップ３を端子台２（又は端子台４）から取り外す場合、各操作部３３に力を加えて切欠３１ａ側に撓ませ、その状態で保護キャップ３を上方に引き上げる。それにより、係合爪２７（又は係合爪４７）と係合孔３２ａとの係合が解除され、端子台２（又は端子台４）から保護キャップ３を取り外すことができる。
【００２８】
また、保護キャップ３の側壁３２の一方の下端縁には、電線７を端子板５の圧接スリット５１に上方から圧入するための成端部３４が備えられている。成端部３４には、圧接スリット５１を含む端子板５の上端部が挿入される挿入溝３４ａが形成されている。従って、この成端部３４を用いて、絶縁被膜された電線７を圧接スリット５１の上から圧入して、電線７の絶縁被膜を剥がして芯線７ａを圧接スリット５１に圧接することができる。これは、圧接スリット５２に電線７´を圧接する場合も同様である。
【００２９】
上記中継用成端ブロック１における成形ブロックの組立てについて説明する。先ず、端子台２と端子台４を、各端子台の挿入口２１及び挿入口４１を逆方向にし、かつ両底面２２と４２同士を接するようにして上下に配置する。このとき、端子台２と端子台４の結線部は同構造であるため、各保持溝の位置も同じとなり、各端子台２、４の各保持溝２３ｂ及び保持溝４３ｂの底面側もそれぞれ対応して接合され、両者は一つの貫通する保持溝となる。そして、両端子台を貫通する各保持溝２３ｂ及び保持溝４３ｂのいずれか一方の底面側、例えば保持溝２３ｂの底面側より、両端に圧接スリットを有する対称な端子板５の圧接スリット５１を圧入する。この時、保持溝２３ｂは、その底面より端子板５の中央の突起部５３の半分の長さを挿入した位置において、溝幅が狭くなるように形成されており、突起部５３はそれ以上に奥へ挿入できなくなっている。このため、端子板５は、その半分の長さが保持溝２３ｂに挿入されて固定される。そして、端子板５の挿入されていない残りの半分の部分における圧接スリット５２を、保持溝２３ｂに対応する端子台４の保持溝４３ｂの底面側より圧入する。保持溝４３ｂおいても、保持溝２３ｂと同様に、端子板５はその長さの半分の部分しか挿入されないので、端子板５は、両端子台２、４の対応する各保持溝２３ｂと保持溝４３ｂ内に半分づつ均等に配置されて狭持される。
【００３０】
これにより、端子台２と端子台４は、端子台２の側壁２４に形成された係合孔２５と、この係合孔２５に係合するように端子台４の側面４４に形成された係合爪４５とが係合されることにより、共通の端子板５を介して機械的及び電気的に結合される。
【００３１】
上記結合された端子台２と端子台４に、共通の端子板５の両端の圧接スリット５１、５２にそれぞれ例えば、延長に必要な長さのケーブル６の電線７と一端にモジュラプラグ８が装着されたケーブル６´の電線７´が接続されることにより、共通の端子板５を介して、ケーブル６とケーブル６´とが電気的に接続される。この結合された端子台２及び端子台４の係合爪２７及び係合爪４７に、各保護キャップ３の係合孔３２ａをそれぞれ係合させることにより、端子台２及び端子台４が各保護キャップ３で保護され、二つのＬＡＮケーブルの中継接続が完了する。
【００３２】
次に、本発明の第２の実施形態に係る中継用成端ブロックについて、図６及び図７を参照しつつ説明する。図６は、第２の実施形態に係る中継用成端ブロックの分解構成を示す。図７において、（ａ）は第２の実施形態の中継用成端ブロック１００の側面を示し、（ｂ）は高さを比較のための第１の実施形態における中継用成端ブロック１の側面を示す。第２の実施形態は、二つの端子台を横方向に接して並列にした点で第１の実施形態と異なっている。
【００３３】
図６において、中継用成端ブロック１００は、絶縁樹脂で形成された二つの同じの端子台２と、各端子台２の結線部近傍に嵌装される二つの同じ保護キャップ３と、各端子台２に装着される複数の端子板１１０と、この端子板１１０の他端がそれぞれ接続されるプリント基板１２０と、このプリント基板１２０を挟み、二つの端子台２と係合する支持筐体１３０とを備えている。
【００３４】
二つの端子台２は、それらのケーブル６、６´の挿入口２１を互いに逆方向を向け、横方向に一列に接するように並べられ、それらの保護壁２３の保持溝２３ｂには、端子板１１０が底面側より挿入されて立設される。
【００３５】
二つの同じ保護キャップ３は、二つの端子台２の向きに対応して、それぞれ互いに逆向き方向にし、各端子台２を覆っている。
【００３６】
端子板１１０は、上縁に開放された前記と同様の圧接スリット１１１と、下縁にプリント基板との接続端子１１２と、中央に突起部１１３とを有するように形成されている。この突起部１１３の長さ（図６のｙ軸方向）は、前記突起部５３（図１参照）の長さの半分とし、この突起部１１３と圧接スリット１１１を含む部分は、前記対称な端子板５（図１参照）の全長の半分と同形を成す。そして、この端子板１１０は、端子台２の保持溝２３ｂの底面２２より挿入されて、圧接スリット１１１が保持溝２３ｂの上部に達した位置で固定される。前述と同様に、ケーブル６、６´の各電線の芯線は、圧接スリット１１１に圧接されて接続される。ここで、点線Ａで囲んだ領域の端子板１１０は、端子台２の端子板となり、点線Ｂで囲んだ領域の端子板１１０は接続する他方の端子台２の端子板となる。
【００３７】
プリント基板１２０は、二つの端子台２の対応する端子板間を配線接続するための母基板であり、端子板１１０の接続端子１１２と嵌合する接続孔１２１を備え、接続孔１２１に挿入された接続端子１１２は、プリント基板１２０の裏面に配線された金属配線部１２２に半田付け等で接合され電気的及び機械的に結合される。
【００３８】
支持筐体１３０は、プリント基板１２０が嵌合される凹部１３１を有する。凹部１３１の長手方向（図６のｚ軸方向）の内部周壁には、プリント基板１２０を支える支持台１３４が形成されている。また、長手方向の両側面の側壁１３２には、二つの端子台２の側壁２４に形成された係合孔２５に係合される係合爪１３３が形成され、これにより、支持筐体１３０は、プリント基板１２０を挟んで二つの端子台２と係合される。
【００３９】
上記中継用成端ブロック１００における成形ブロックの組立てにおいては、先ず、横並びしている二つの端子台２を貫通する各保持溝２３ｂの両底面側から、端子板５をその圧接スリット１１１側より圧入する。端子板１１０は、その突起部１１３が保持溝２３ｂ内に納まり、接続端子１１２のみが保持溝２３ｂの外部に突出している状態で固定される。
【００４０】
これら端子台２より突出している接続端子１１２は、各端子台２とプリント基板１２０との接合時に、プリント基板１２０の接続孔１２１に挿入されて半田付け等で電気的に接続される。そして、一方の端子台２の各端子板１１０をそれぞれプリント基板１２０のプリント配線を介して他方の端子台２の対応する各端子板に接続しておくことにより、二つの端子台２間の各端子板１１０が電気的に接続される。また、このプリント基板１２０は、支持筐体１３０の凹部１３１に嵌入されて、プリント基板１２０の表面（図６のｙ軸の上方側）と支持筐体１３０の側壁上面（図６のｙ軸の上方側）と略面一になるように納められる。この支持筐体１３０を両端子台２に係合させることにより、プリント基板１２０が両者間において挟持される。さらに前記保護キャップ３を両端子台２にそれぞれ係合させて、端子台２の側面に表示用のラベル１４０が貼られ、高さの低い中継用成端ブロック１００が得られる。
【００４１】
図７（ａ）、（ｂ）は、第２の実施形態の中継用成端ブロック１００と第１の実施形態の中継用成端ブロック１の高さを比較するためのそれぞれの側面を示す。
【００４２】
図７（ａ）に示すように、第２の実施形態の中継用成端ブロック１００は、長さは約２倍になるけれども、図７（ｂ）に示す第１の実施形態の中継用成端ブロック１の高さＨ１に比べ、その高さＨ２を略６０〜７０％程度低くすることができる。従って、高さの限られた場所における配線工事が可能となる。
【００４３】
次に、本発明の第３の実施形態に係る中継用成端ブロックについて、図８、図９を参照しつつ説明する。図８は、端子台２に接続された電線の芯線をカバーするため保護キャップの側壁を長くした構成例を示し、図９は、その保護キャップで覆われた中継用成端ブロックを示す。
【００４４】
これらの図において、端子台２に接続されるケーブル６の電線７は、保護壁２３を含む結線部の上から圧接スリット５１に圧入されて、電線７の絶縁被覆が圧接スリット５１（図１参照）の両側縁で破断され、電線７の芯線７ａが端子板５の圧接スリット５１の中に圧接される。この電線７の圧接後、余分の残った電線７は配線処理により端子台２の側壁２４に沿って切断される。この時、切断された電線７の断面から芯線７ａの一部が外部に露出している。そのため、他の金属部材と接触すると電気的にショートする可能性がある。
【００４５】
第３の実施形態における保護キャップ３は、側壁３２を天板３１から下に向けて端子台２の下部まで覆うように長くしている。従って、図９に示すように、保護キャップ３を端子台２に被せた状態では芯線７ａも覆われ、全く見えなくすることができる。これにより、電線の芯線と他の金属部材と接触を防止できる。通常、鉄筋コンクリートや木造の建物では、ＬＡＮケーブルの配線箇所に金属部材が存在する可能性は低いため、第１及び第２の実施形態に係る中継用成端ブロックでも十分実用的である。第３の実施形態の中継用成端ブロックは、特に船舶など金属床を有する構造物にＬＡＮケーブル等を配線する際に有効である。
【００４６】
なお、図１０に示すように、保護キャップ３を端子台２から容易に取り外すことができるように、操作部３３に、側壁３２よりも外側に大きく突出した突起３３ａが形成してもよい。あるいは図１１に示すように、保護キャップ３の操作部３３の上端３３ｂを保護キャップ３の天板３１よりも上方に突出させてもよい。
【００４７】
以上述べたように、本発明に係る中継用成端ブロック１によれば、中継する二本のＬＡＮケーブル６、６´の各電線７、７´を二つの端子台２、端子台４の端子板５に圧接するだけで容易に接続することができる。したがって、作業現場において容易にＬＡＮケーブルの接続を行うことができる。そのため、仮に準備したＬＡＮケーブルが短かったとしても、必要な長さのケーブルをその場で延長接続することができ、作業性が飛躍的に向上する。また、従来短くて使用できなかったケーブルも必要な長さに簡単に延長して使用することができるのでケーブルの無駄を無くすことができ、経済的である。さらに、第１の実施形態によれば二つの端子台間で端子板５を共通にできるので、端子板の数を半減でき、又各端子台の端子板間を接続するプリント基板等の接続部材が不要となり、部品点数が大幅に削減され、小型化することができ、コンパクトで低コストの接続容易な信頼性の高い中継用成端ブロックを得ることができる。
【図面の簡単な説明】
【００４８】
【図１】本発明の第１の実施形態に係る中継用成端ブロックの分解構成図。
【図２】上記中継用成端ブロックの斜視図。
【図３】上記中継用成端ブロックにツイストペアケーブル取り付けの成端組立て構成図。
【図４】上記中継用成端ブロックへの芯線の取り付けを示す図。
【図５】上記中継用成端ブロックで中継されたＬＡＮケーブルの斜視図。
【図６】第２の実施形態に係る中継用成端ブロックの分解構成図。
【図７】（ａ）上記中継用成端ブロックの側面図、（ｂ）高さを比較するための第１の実施形態における中継用成端ブロックの側面図。
【図８】第３の実施形態に係る中継用成端ブロックの一部分解斜視図。
【図９】上記中継用成端ブロックのＬＡＮケーブルを取り付け後の斜視図。
【図１０】他の実施形態に係る中継用成端ブロックの斜視図。
【図１１】他の実施形態に係る中継用成端ブロックの斜視図。
【符号の説明】
【００４９】
１、１００  中継用成端ブロック
２  端子台
３  保護キャップ
４  端子台
５、１１０  端子板
６、６´  ＬＡＮケーブル（ケーブル）
７、７´  電線
５１、５２、１１１  圧接スリット
１２０  プリント基板（回路基板）
【図１】
2006236718.tif 000003
【図２】
2006236718.tif 000004
【図３】
2006236718.tif 000005
【図４】
2006236718.tif 000006
【図５】
2006236718.tif 000007
【図６】
2006236718.tif 000008
【図７】
2006236718.tif 000009
【図８】
2006236718.tif 000010
【図９】
2006236718.tif 000011
【図１０】
2006236718.tif 000012
【図１１】
2006236718.tif 000013